(57)【特許請求の範囲】
【請求項１】
装着時に使用者の一方の側頭部に沿って配置される第１のテンプル部と、
装着時に前記使用者の他方の側頭部に沿って配置される第２のテンプル部と、
装着時に前記使用者の顔の前方に配置されるフロント部と、
を有し、
前記フロント部は、第１の接続部と、第２の接続部を有し、
前記第１のテンプル部及び前記第２のテンプル部の少なくとも一方のテンプル部は、電装部を有し、
前記第１のテンプル部、前記第２のテンプル部は、前記フロント部の前記第１の接続部、前記第２の接続部に着脱自在なテンプル部であり、
前記フロント部の前記第１の接続部は、前記第１のテンプル部に代えて前記第２のテンプル部が接続可能な接続部であり、
前記フロント部の前記第２の接続部は、前記第２のテンプル部に代えて前記第１のテンプル部が接続可能な接続部であり、
前記フロント部は、
前記第１の接続部及び前記第２の接続部に、同一種別のテンプル部が接続された場合に、前記同一種別のテンプル部が有する電装部同士間の電気的接続を非接続にすることを特徴とする眼鏡型ウェアラブル装置。
【請求項２】
請求項１において、
前記少なくとも一方のテンプル部は、前記電装部として表示装置、撮像装置及びバッテリの少なくとも一方を有することを特徴とする眼鏡型ウェアラブル装置。
【請求項３】
請求項１又は２において、
前記少なくとも一方のテンプル部は、前記電装部としてバッテリを有し、
前記バッテリは、前記少なくとも一方のテンプル部のモダン部に設けられることを特徴とする眼鏡型ウェアラブル装置。
【請求項４】
請求項３において、
前記少なくとも一方のテンプル部は、
前記バッテリが設けられる前記モダン部と、
前記モダン部を着脱可能に接続する接続部と、
を有することを特徴とする眼鏡型ウェアラブル装置。
【請求項５】
請求項１乃至４のいずれかにおいて、
前記第１のテンプル部は、
前記第１の接続部への接続時には、第１の側面が第１の方向を向き、前記第１の側面の反対側の面である第２の側面が前記第１の方向と反対方向の第２の方向を向いた状態で、前記第１の接続部に接続され、
前記第２の接続部への接続時には、前記第１の側面が前記第２の方向を向き、前記第２の側面が前記第１の方向を向いた状態で、前記第２の接続部に接続され、
前記第２のテンプル部は、
前記第２の接続部への接続時には、第１の側面が前記第２の方向を向き、前記第１の側面の反対側の面である第２の側面が前記第１の方向を向いた状態で、前記第２の接続部に接続され、
前記第１の接続部への接続時には、前記第１の側面が前記第１の方向を向き、前記第２の側面が前記第２の方向を向いた状態で、前記第１の接続部に接続されることを特徴とする眼鏡型ウェアラブル装置。
【請求項６】
請求項１乃至５のいずれかにおいて、
前記第１の接続部は、第１の端子と、第２の端子を有し、
前記第２の接続部は、第３の端子と、第４の端子を有し、
前記第１のテンプル部は、
前記第１の接続部への接続時には前記第１の接続部の前記第１の端子に接続され、前記第２の接続部への接続時には前記第２の接続部の前記第４の端子に接続される第１のテンプル側端子と、
前記第１の接続部への接続時には前記第１の接続部の前記第２の端子に接続され、前記第２の接続部への接続時には前記第２の接続部の前記第３の端子に接続される第２のテンプル側端子と、
を有し、
前記第２のテンプル部は、
前記第２の接続部への接続時には前記第２の接続部の前記第３の端子に接続され、前記第１の接続部への接続時には前記第１の接続部の前記第２の端子に接続される第３のテンプル側端子と、
前記第２の接続部への接続時には前記第２の接続部の前記第４の端子に接続され、前記第１の接続部への接続時には前記第１の接続部の前記第１の端子に接続される第４のテンプル側端子と、
を有することを特徴とする眼鏡型ウェアラブル装置。
【請求項７】
請求項１乃至６のいずれかにおいて、
前記第１のテンプル部に設けられる表示装置を有し、
前記表示装置は、
表示部と、
前記表示部の画像を使用者に虚像として観察可能にする接眼光学系と、
前記接眼光学系の接眼窓を前記フロント部の前方に支持する支持部と、
を有することを特徴とする眼鏡型ウェアラブル装置。
【請求項８】
請求項１乃至７のいずれかにおいて、
前記フロント部への前記第１のテンプル部の非接続時に、前記第１のテンプル部の端子又は前記第１の接続部の端子をカバーする第１のカバー部と、
前記フロント部への前記第２のテンプル部の非接続時に、前記第２のテンプル部の端子又は前記第２の接続部の端子をカバーする第２のカバー部と、
を有することを特徴とする眼鏡型ウェアラブル装置。
【請求項９】
請求項１乃至８のいずれかにおいて、
前記フロント部に接続されるテンプル部の種別検出を行う検出部と、
前記検出部での検出結果に基づく処理を行う処理部と、
を有することを特徴とする眼鏡型ウェアラブル装置。
【請求項１０】
装着時に使用者の一方の側頭部に沿って配置される第１のテンプル部と、
装着時に前記使用者の他方の側頭部に沿って配置される第２のテンプル部と、
装着時に前記使用者の顔の前方に配置されるフロント部と、
前記フロント部に接続されるテンプル部の種別検出を行う検出部と、
前記検出部での検出結果に基づく処理を行う処理部と、
を有し、
前記フロント部は、第１の接続部と、第２の接続部を有し、
前記第１のテンプル部及び前記第２のテンプル部の少なくとも一方のテンプル部は、電装部を有し、
前記第１のテンプル部、前記第２のテンプル部は、前記フロント部の前記第１の接続部、前記第２の接続部に着脱自在なテンプル部であることを特徴とする眼鏡型ウェアラブル装置。
【請求項１１】
請求項９又は１０において、
前記使用者に画像を表示する表示装置及び画像を撮像する撮像装置の少なくとも一方を有し、
前記処理部は、
前記表示装置により表示される画像又は前記撮像装置により撮像された画像に対して、前記検出部での検出結果に基づく画像処理を行うことを特徴とする眼鏡型ウェアラブル装置。
【発明の詳細な説明】
【技術分野】
【０００１】
本発明は、眼鏡型ウェアラブル装置等に関する。
【背景技術】
【０００２】
近年、頭部装着型表示装置（ＨＭＤ）等として利用できる眼鏡型ウェアラブル装置が脚光を浴びている。眼鏡型ウェアラブル装置の従来技術としては、例えば特許文献１、２に開示される技術がある。
【０００３】
特許文献１には、眼鏡フレーム等の頭部の支持フレームに頭部装着型表示装置を固定して利用する手法が開示されている。特許文献２には、専用の眼鏡フレーム内に頭部装着型表示装置を内蔵する手法が開示されている。このように、ウェアラブル機器の小型化が進むことで、ウェアラブル機器を眼鏡フレームに取り付けて使用したり、眼鏡フレームに内蔵することも可能となって来ている。
【０００４】
しかしながら、特許文献１のように、眼鏡フレームに対してウェアラブル機器の筐体をそのまま着脱する手法では、装着時の重量バランスが悪くなり、安定的に装着するのが難しいという課題がある。特許文献１の従来技術では、眼鏡フレームの前方外側にウェアラブル機器の筐体を取り付けるため、モーメントにより重量が余計に眼鏡に掛かるため、眼鏡が傾いたり、重く感じる原因となる。
【０００５】
また、特許文献２のように、眼鏡フレームにウェアラブル機器を内蔵する手法では、ウェアラブル機器の着脱ができないため、通常の眼鏡として利用したい場合には煩わしく、他の機能を有する装置に入れ替えることもできないという課題がある。
【先行技術文献】
【特許文献】
【０００６】
【特許文献１】特開２０１０−９１７４８号公報
【特許文献２】特開２０１２−８２９０号公報
【発明の概要】
【発明が解決しようとする課題】
【０００７】
本発明の幾つかの態様によれば、多様な用途への対応等を可能にする眼鏡型ウェアラブル装置及び眼鏡型ウェアラブル装置のテンプル部等を提供できる。
【課題を解決するための手段】
【０００８】
本発明の一態様は、装着時に使用者の一方の側頭部に沿って配置される第１のテンプル部と、装着時に前記使用者の他方の側頭部に沿って配置される第２のテンプル部と、装着時に前記使用者の顔の前方に配置されるフロント部と、を有し、前記フロント部は、第１の接続部と、第２の接続部を有し、前記第１のテンプル部及び前記第２のテンプル部の少なくとも一方のテンプル部は、電装部を有し、前記第１のテンプル部、前記第２のテンプル部は、前記フロント部の前記第１の接続部、前記第２の接続部に着脱自在なテンプル部である眼鏡型ウェアラブル装置に関係する。
【０００９】
本発明の一態様では、第１、第２の接続部を有するフロント部と、第１、第２のテンプル部が設けられ、第１、第２のテンプル部の少なくとも一方のテンプル部には電装部が設けられる。そして、第１、第２のテンプル部は、フロント部の第１、第２の接続部に着脱自在になっている。このような構成によれば、様々な種別のテンプル部をフロント部に着脱自在に接続できるため、多様な用途への対応等が可能になる。例えば種々の電装部を有するテンプル部をフロント部に接続することで、眼鏡型ウェアラブル装置の機能の変更・拡張等が可能になり、これまでにないタイプの眼鏡型ウェアラブル装置を提供できる。また、フロント部の代わりに第１、第２のテンプル部に電装部を設けることで、重量バランスの改善やデザイン性の向上等も期待できるようになる。
【００１０】
また本発明の一態様では、前記少なくとも一方のテンプル部は、前記電装部として表示装置、撮像装置及びバッテリの少なくとも一方を有してもよい。
【００１１】
このようにすれば、表示装置を有するテンプル部をフロント部に接続して、眼鏡型ウェアラブル装置に表示画像の表示機能を持たせたり、撮像装置を有するテンプル部をフロント部に接続して、眼鏡型ウェアラブル装置に画像の撮像機能を持たせたりすることが可能になる。また、バッテリを有するテンプル部をフロント部に接続して、眼鏡型ウェアラブル装置の電装部品に電源を供給することも可能になる。
【００１２】
また本発明の一態様では、前記少なくとも一方のテンプル部は、前記電装部としてバッテリを有し、前記バッテリは、前記少なくとも一方のテンプル部のモダン部に設けられてもよい。
【００１３】
このようにモダン部にバッテリを設ければ、このバッテリを用いて電装部の電装部品に電源を供給できると共に、重量バランスの改善等も図れるようになる。
【００１４】
また本発明の一態様では、前記少なくとも一方のテンプル部は、前記バッテリが設けられる前記モダン部と、前記モダン部を着脱可能に接続する接続部と、を有してもよい。
【００１５】
このようにモダン部を着脱可能に接続する接続部を設ければ。バッテリが設けられたモダン部が着脱自在になり、使用者の利便性を向上できる。
【００１６】
また本発明の一態様では、前記フロント部の前記第１の接続部は、前記第１のテンプル部に代えて前記第２のテンプル部が接続可能な接続部であり、前記フロント部の前記第２の接続部は、前記第２のテンプル部に代えて前記第１のテンプル部が接続可能な接続部であってもよい。
【００１７】
このようにすれば、フロント部への第１、第２のテンプル部の左右の入れ替え接続が可能になり、多様な用途への対応を実現できる。
【００１８】
また本発明の一態様では、前記第１のテンプル部は、前記第１の接続部への接続時には、第１の側面が第１の方向を向き、前記第１の側面の反対側の面である第２の側面が前記第１の方向と反対方向の第２の方向を向いた状態で、前記第１の接続部に接続され、前記第２の接続部への接続時には、前記第１の側面が前記第２の方向を向き、前記第２の側面が前記第１の方向を向いた状態で、前記第２の接続部に接続され、前記第２のテンプル部は、前記第２の接続部への接続時には、第１の側面が前記第２の方向を向き、前記第１の側面の反対側の面である第２の側面が前記第１の方向を向いた状態で、前記第２の接続部に接続され、前記第１の接続部への接続時には、前記第１の側面が前記第１の方向を向き、前記第２の側面が前記第２の方向を向いた状態で、前記第１の接続部に接続されてもよい。
【００１９】
このようにすれば、例えば第１、第２のテンプル部を１８０度回転して接続することで、第１、第２のテンプル部の左右の入れ替え接続を実現できるようになる。
【００２０】
また本発明の一態様では、前記第１の接続部は、第１の端子と、第２の端子を有し、前記第２の接続部は、第３の端子と、第４の端子を有し、前記第１のテンプル部は、前記第１の接続部への接続時には前記第１の接続部の前記第１の端子に接続され、前記第２の接続部への接続時には前記第２の接続部の前記第４の端子に接続される第１のテンプル側端子と、前記第１の接続部への接続時には前記第１の接続部の前記第２の端子に接続され、前記第２の接続部への接続時には前記第２の接続部の前記第３の端子に接続される第２のテンプル側端子と、を有し、前記第２のテンプル部は、前記第２の接続部への接続時には前記第２の接続部の前記第３の端子に接続され、前記第１の接続部への接続時には前記第１の接続部の前記第２の端子に接続される第３のテンプル側端子と、前記第２の接続部への接続時には前記第２の接続部の前記第４の端子に接続され、前記第１の接続部への接続時には前記第１の接続部の前記第１の端子に接続される第４のテンプル側端子と、を有してもよい。
【００２１】
このような第１〜第４の端子と第１〜第４のテンプル側端子を設けて、これらの端子間の接続を行うことで、第１、第２のテンプル部の左右の入れ替え接続を実現できる。
【００２２】
また本発明の一態様では、前記フロント部は、前記第１の接続部及び前記第２の接続部に、同一種別のテンプル部が接続された場合に、前記同一種別のテンプル部が有する電装部同士間の電気的接続を非接続にしてもよい。
【００２３】
このようにすれば、フロント部の第１、第２の接続部に同一種別のテンプル部が接続されることによる不具合の発生を、効果的に抑制できるようになる。
【００２４】
また本発明の一態様では、前記第１のテンプル部に設けられる表示装置を有し、前記表示装置は、表示部と、前記表示部の画像を使用者に虚像として観察可能にする接眼光学系と、前記接眼光学系の接眼窓を前記フロント部の前方に支持する支持部と、を有してもよい。
【００２５】
このようにすれば、第１のテンプル部の表示装置を用いて、表示部の画像を使用者に虚像として観察可能にする眼鏡型ウェアラブル装置を提供できる。
【００２６】
また本発明の一態様では、前記フロント部への前記第１のテンプル部の非接続時に、前記第１のテンプル部の端子又は前記第１の接続部の端子をカバーする第１のカバー部と、前記フロント部への前記第２のテンプル部の非接続時に、前記第２のテンプル部の端子又は前記第２の接続部の端子をカバーする第２のカバー部と、を有してもよい。
【００２７】
このような第１、第２のカバー部を設ければ、第１のテンプル部や第２のテンプル部の非接続時に接続部の端子が露出されることなどによる電気的な不具合や防水性能の劣化等を、効果的に抑制できる。
【００２８】
また本発明の一態様では、前記フロント部に接続されるテンプル部の種別検出を行う検出部と、前記検出部での検出結果に基づく処理を行う処理部と、を有してもよい。
【００２９】
このようにすれば、テンプル部の種別を検出することで、テンプル部により変更・拡張された機能等を認識し、それに応じた処理を行うことが可能になる。
【００３０】
また本発明の一態様では、前記使用者に画像を表示する表示装置及び画像を撮像する撮像装置の少なくとも一方を有し、前記処理部は、前記表示装置により表示される画像又は前記撮像装置により撮像された画像に対して、前記検出部での検出結果に基づく画像処理を行ってもよい。
【００３１】
このようにすれば、フロント部へのテンプル部の接続入れ替え等が行われた場合にも、それに応じた適切な画像処理を、表示装置により表示される画像又は撮像装置により撮像された画像に対して施すことが可能になる。
【００３２】
また本発明の他の態様は、眼鏡型ウェアラブル装置の装着時に使用者の顔の前方に配置されるフロント部に接続可能なテンプル部であって、電装部品及びバッテリの少なくとも一方である電装部と、前記フロント部の第１の接続部に接続可能であると共に前記フロント部の第２の接続部にも接続可能な接続部と、を有し、前記接続部は、前記フロント部への前記テンプル部の接続時に、前記フロント部の前記第１の接続部又は前記第２の接続部が有する端子に接続されるテンプル側端子を、有する眼鏡型ウェアラブル装置のテンプル部に関係する。
【００３３】
本発明の他の態様では、眼鏡型ウェアラブル装置のテンプル部は、電装部品及びバッテリの少なくとも一方である電装部と、フロント部の第１の接続部に接続可能であると共に第２の接続部にも接続可能な接続部を有する。そして、この接続部のテンプル側端子は、フロント部への接続時に、フロント部の第１又は第２の接続部が有する端子に接続される。このような構成によれば、様々な種別のテンプル部をフロント部に着脱自在に接続できるようになるため、多様な用途への対応等が可能になる。例えば種々の電装部を有するテンプル部をフロント部に接続することで、眼鏡型ウェアラブル装置の機能の変更・拡張等が容易になり、これまでにないタイプの眼鏡型ウェアラブル装置を実現できるようになる。
【図面の簡単な説明】
【００３４】
【図１】本実施形態の眼鏡型ウェアラブル装置を上方側から見た上面図。
【図２】図２（Ａ）、図２（Ｂ）は本実施形態の眼鏡型ウェアラブル装置の右方側から見た側面図。
【図３】本実施形態の眼鏡型ウェアラブル装置の左方側から見た側面図。
【図４】図４（Ａ）、図４（Ｂ）は第１、第２のテンプル部の左右の入れ替え接続についての説明図。
【図５】図５（Ａ）〜図５（Ｄ）も第１、第２のテンプル部の左右の入れ替え接続についての説明図。
【図６】図６（Ａ）〜図６（Ｃ）はフロント部での接続線の配線手法の説明図。
【図７】図７（Ａ）、図７（Ｂ）はテンプル部のモダン部にバッテリを内蔵する手法の説明図。
【図８】図８（Ａ）、図８（Ｂ）は表示装置の説明図。
【図９】図９（Ａ）〜図９（Ｃ）はテンプル部の交換による機能の変更・拡張についての説明図。
【図１０】図１０（Ａ）、図１０（Ｂ）もテンプル部の交換による機能の変更・拡張についての説明図。
【図１１】図１１（Ａ）、図１１（Ｂ）はテンプル部の本体を左右交換する手法についての説明図。
【図１２】表示装置が取り付けられたテンプル部をフロント部の左右に接続する例。
【図１３】撮像装置が取り付けられたテンプル部と表示装置が取り付けられたテンプル部をフロント部の左右に接続する例。
【図１４】テンプル部のモダン部の交換についての説明図。
【図１５】図１５（Ａ）、図１５（Ｂ）は接続部の構造の例。
【図１６】図１６（Ａ）、図１６（Ｂ）はフロント部の接続部にカバー部を設ける手法の説明図。
【図１７】図１７（Ａ）、図１７（Ｂ）はテンプル部の接続部にカバー部を設ける手法の説明図
【図１８】眼鏡型ウェアラブル装置の電気的な構成を示すブロック図。
【図１９】図１９（Ａ）、図１９（Ｂ）はテンプル部の種別の検出結果に基づく画像処理の説明図。
【図２０】図２０（Ａ）〜図２０（Ｄ）はテンプル部の種別の検出手法の説明図。
【発明を実施するための形態】
【００３５】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００３６】
１．眼鏡型ウェアラブル装置
図１〜図３に、本実施形態の眼鏡型ウェアラブル装置の構成例を示す。図１は眼鏡型ウェアラブル装置を上方側から見た上面図である。図２（Ａ）、図２（Ｂ）は、眼鏡型ウェアラブル装置を右方側から見た側面図であり、図３は、左方側から見た側面図である。
【００３７】
眼鏡型ウェアラブル装置（電子眼鏡フレーム）は、第１のテンプル部１０と、第２のテンプル部２０と、フロント部３０を有する。この眼鏡型ウェアラブル装置は、眼鏡形状のフレームを有し、使用者がウェアラブルに装着できる装置である。例えば図１の眼鏡型ウェアラブル装置は表示装置５０を備えており、眼鏡型ウェアラブル装置は頭部装着型表示装置（ＨＭＤ）として機能している。なお、例えば眼鏡型ウェアラブル装置は、表示装置を設けずに、撮像装置（カメラ）を設け、いわゆるライフカメラとして機能するウェアラブル装置であってもよい。或いは、眼鏡型ウェアラブル装置は、表示装置や撮像装置とは異なるセンサをウェアラブルに装着するための装置であってもよい。
【００３８】
第１、第２のテンプル部１０、２０は、いわゆる眼鏡における「つる」に相当するものである。具体的には、第１のテンプル部１０は、眼鏡型ウェアラブル装置の装着時に使用者の一方の側頭部に沿って配置される。また第２のテンプル部２０は、装着時に使用者の他方の側頭部に沿って配置される。例えば図１では、第１のテンプル部１０は装着時に使用者の右の側頭部（広義には一方の側頭部）に沿って配置され、第２のテンプル部２０は左の側頭部（広義には他方の側頭部）に沿って配置される。即ち、第１のテンプル部１０は使用者の頭部の右側に配置され、第２のテンプル部２０は使用者の頭部の左側に配置される。なお、後述するように本実施形態ではテンプル部の左右の入れ替え接続が可能であり、図１の接続から左右を入れ替えて接続した場合には、第１のテンプル部１０は、左の側頭部に沿って配置され、第２のテンプル部２０は、右の側頭部に沿って配置されるようになる。
【００３９】
フロント部３０は、いわゆる眼鏡におけるリムやブリッジに相当するものであり、眼鏡型ウェアラブル装置の装着時に使用者の顔の前方（顔の前面側）に配置される。例えば眼鏡型ウェアラブル装置が、シースルー型の頭部装着型表示装置（ＨＭＤ）として機能する場合には、フロント部３０の左目、右目に対応する部分は眼鏡のようなリム形状になっており、使用者は、外界視界に、表示装置５０の表示画像が重畳された画像を見ることが可能になる。
【００４０】
そして本実施形態では、図１〜図３に示すように、フロント部３０は、第１の接続部ＣＦ１と第２の接続部ＣＦ２を有する。例えば第１の接続部ＣＦ１は、使用者から見て、フロント部３０の右側の端部に設けられる接続部であり、第２の接続部ＣＦ２は、使用者から見て、フロント部３０の左側の端部に設けられる接続部である。
【００４１】
また本実施形態では、第１、第２のテンプル部１０、２０の少なくとも一方のテンプル部は、電装部を有する。具体的には、第１、第２のテンプル部１０、２０の少なくとも一方のテンプル部は、電装部として、表示装置、撮像装置及びバッテリの少なくとも一方を有する。ここで電装部は、例えば、回路基板や表示装置や撮像装置などの各種の電装部品や、バッテリなどの電源部品により実現されるものである。
【００４２】
図２（Ａ）、図２（Ｂ）を例にとれば、第１のテンプル部１０の電装部として、表示装置５０や回路基板１４などの電装部品が設けられている。ここで表示装置５０は、例えば後述するような接眼型の表示装置である。また回路基板１４には、各種ＩＣ（集積回路）や能動素子（抵抗、キャパシタ）などの回路素子が実装される。ＩＣとしては、表示装置５０の駆動ＩＣや、撮像装置用のＩＣや、各種のセンサ用のＩＣや、無線用のＩＣなどを想定できる。
【００４３】
また図３を例にとれば、第２のテンプル部２０の電装部として、バッテリ２４（２次電池、１次電池）が設けられている。なお、第２のテンプル部２０の電装部として表示装置や撮像装置や回路基板などの電装部品を設けてもよい。
【００４４】
また、後述する図７（Ｂ）等に示すように、第１、第２のテンプル部１０、２０の少なくとも一方のテンプル部は、電装部としてバッテリを有し、当該バッテリは、少なくとも一方のテンプル部のモダン部（１２、２２）に設けられていてもよい。具体的には、少なくとも一方のテンプル部は、バッテリが設けられるモダン部と、モダン部を着脱可能に接続する接続部（ＣＰ３）とを有する。
【００４５】
そして本実施形態では、第１、第２のテンプル部１０、２０は、フロント部３０の第１、第２の接続部ＣＦ１、ＣＦ２に着脱自在なテンプル部となっている。即ち、第１、第２のテンプル部１０、２０は、第１、第２の接続部ＣＦ１、ＣＦ２に着脱自在に接続可能になっている。
【００４６】
例えば、第１、第２のテンプル部１０、２０は、各々、テンプル側の第１、第２の接続部ＣＰ１、ＣＰ２を有する。これらの接続部ＣＰ１、ＣＰ２は、第１、第２の接続部ＣＦ１、ＣＦ２と接続可能な構造となっている。例えば、後述するように、第１の接続部ＣＦ１は、第１のテンプル部１０に代えて第２のテンプル部２０が接続可能な接続部になっている。また第２の接続部ＣＦ２は、第２のテンプル部２０に代えて第１のテンプル部１０が接続可能な接続部になっている。即ち、ＣＦ１、ＣＦ２の各接続部は、様々な種別のテンプル部を着脱自在に接続可能な接続部になっている。
【００４７】
具体的には、図２（Ｂ）に示すようにフロント部側の第１の接続部ＣＦ１は、第１、第２の端子ＴＦ１、ＴＦ２を有し、図３に示すように第２の接続部ＣＦ２は、第３、第４の端子ＴＦ３、ＴＦ４を有する。また、図２（Ｂ）に示すようにテンプル側の第１の接続部ＣＰ１は、第１、第２のテンプル側端子ＴＰ１、ＴＰ２を有し、図３に示すように第２の接続部ＣＰ２は、第３、第４のテンプル側端子ＴＰ３、ＴＰ４を有する。そして、フロント部３０とテンプル部１０、２０の接続時において、フロント部側の第１、第２の端子ＴＦ１、ＴＦ２は、第１、第２のテンプル側端子ＴＰ１、ＴＰ２に接触し、フロント部側の第３、第４の端子ＴＦ３、ＴＦ４は、第３、第４のテンプル側端子ＴＰ３、ＴＰ４に接触するようになる。
【００４８】
以上のように本実施形態によれば、眼鏡型ウェアラブル装置の電装部（表示装置、撮像装置、又はバッテリ等）を、フロント部の代わりに、テンプル部に設けるようにしている。そして、電装部が設けられたテンプル部は、フロント部の接続部に対して着脱自在になっており、使用者は、その用途に応じてテンプル部を容易に接続・交換することが可能になる。例えば、使用者は、ウェアラブル機器の非使用時には眼鏡型ウェアラブル装置を通常の眼鏡として使用したり、異なる機能を有するテンプル部に交換して様々な用途に用いたりすることが可能になる。
【００４９】
例えば眼鏡のフロント部はデザイン性が重視されるものであるが、フロント部に電装部を内蔵させると、これに伴いフロント部が大型化し、デザイン性が崩れる。また、重量が重い電装部がフロント部に内蔵されると、重量バランスが悪化して、使い勝手が悪くなる。例えば後述する図８（Ｂ）のようなシースルー方式では、使用者が快適に違和感なく使用可能な時間を、できる限りに長くすることが望ましいという要望があるが、重量が重い電装部がフロント部に内蔵されると、このような要望に応えることができない。
【００５０】
この点、本実施形態では、フロント部に対してテンプル部が着脱自在になっているため、フロント部としてデザイン性の高いものを使用することが可能になり、デザイン性を重視する使用者の要望に応えることができる。また、後述する図９（Ｃ）のように電装部を有しない通常の眼鏡テンプル部に交換することで、眼鏡型ウェアラブル装置を通常の眼鏡のように使用することが可能になる。
【００５１】
また本実施形態では、電装部をテンプル部に内蔵する構成としているため、フロント部の軽量化やコンパクト化を図ることができる。従って、眼鏡型ウェアラブル装置の重量バランスを向上でき、例えば、後述する図８（Ｂ）のようなシースルー方式等の画像を表示しながら、使用者が快適に違和感なく長時間使用することができる眼鏡型ウェアラブル装置を提供できるようになる。この場合、モダン部にバッテリを内蔵させたり、電装部を左右のテンプル部に分けて配置することで、重量バランスの更なる改善を図れる。
【００５２】
また図１〜図３では、第１のテンプル部１０には、例えば、使用者に表示画像（表示映像）を虚像として拡大観察させるための表示装置５０が搭載される。一方、第２のテンプル部２０には、例えば、バッテリ２４や、処理回路、無線装置、ＴＶチューナ、センサ、メモリなどの他の機能を有する電装部品（電子部品）を搭載することができ、これらの電装部品を用いて生成された画像を、表示装置５０に表示できる。
【００５３】
そして図１では、フロント部３０には、左右の接続部ＣＦ１、ＣＦ２を電気的に接続する接続線ＬＣが配線されている。この接続線ＬＣは、第１、第２のテンプル部１０、２０の接続時に、第１のテンプル部１０の第１の電装部（表示装置、回路基板等）と第２のテンプル部２０の第２の電装部（バッテリ等の電源部品や、処理回路等の他の電装部品）とを電気的に接続する。このようにすれば、例えば図３の第２のテンプル部２０に設けられたバッテリ２４の電源を、接続線ＬＣを介して、図１の第１のテンプル部１０に設けられた表示装置５０等に供給して、表示装置５０を動作させることが可能になる。また、第２のテンプル部２０に、処理回路や無線装置やＴＶチューナなどの電装部品（映像ソース）が設けられている場合には、これらの電装部品により取得された画像データを、接続線ＬＣを介して、第１のテンプル部１０の表示装置５０に供給して、表示画像を表示できるようになる。
【００５４】
また、本実施形態によれば、左右の第１、第２のテンプル部１０、２０に電装部品（電装系）を分散して配置することで、眼鏡型ウェアラブル装置の重量バランスを改善することが可能になる。また、第１、第２のテンプル部１０、２０を着脱自在にすることで、様々な用途に応じて各種デバイスを組み替えて利用することが可能になり、多様な用途への対応が可能になる。
【００５５】
なお、本実施形態の実施態様としては、眼鏡型ウェアラブル装置の装着時に使用者の顔の前方に配置されるフロント部に接続可能なテンプル部としての実施態様が考えられる。この場合には、テンプル部は、電装部品（表示装置、撮像装置又はセンサ等）及びバッテリの少なくとも一方である電装部と、フロント部の第１の接続部（ＣＦ１）に接続可能であると共にフロント部の第２の接続部（ＣＦ２）にも接続可能な接続部（ＣＰ１、ＣＰ２）を有する。そして接続部（ＣＰ１、ＣＰ２）は、フロント部へのテンプル部の接続時に、フロント部の第１の接続部（ＣＦ１）又は第２の接続部（ＣＦ２）が有する端子（ＴＦ１〜ＴＦ４）に接続されるテンプル側端子（ＴＰ１〜ＴＰ４）を、有することになる。
【００５６】
このような構成のテンプル部によれば、眼鏡型ウェアラブル装置の機能の変更・拡張等を実現可能にするテンプル部を、使用者に対して供給し、使用者の各用途に応じた種々の要望に応えることが可能になる。
【００５７】
２．テンプル部の左右の入れ替え接続
本実施形態の眼鏡型ウェアラブル装置では、テンプル部の左右の入れ替え接続が可能になっている。具体的にはフロント部３０の第１の接続部ＣＦ１は、第１のテンプル部１０に代えて第２のテンプル部２０が接続可能な接続部となっている。また、フロント部３０の第２の接続部ＣＦ２は、第２のテンプル部２０に代えて第１のテンプル部１０が接続可能な接続部となっている。以下では、この入れ替え接続の詳細について説明する。
【００５８】
例えば図４（Ａ）では、フロント部３０の接続部ＣＦ１に対して第１のテンプル部１０が接続され、接続部ＣＦ２に対して第２のテンプル部２０が接続されている。具体的には、フロント部側の接続部ＣＦ１とテンプル部側の接続部ＣＰ１とが接続され、フロント部側の接続部ＣＦ２とテンプル部側の接続部ＣＰ２とが接続されている。そして、図４（Ａ）では、例えば第１のテンプル部１０に表示装置５０が設けられ、第２のテンプル部２０にバッテリ２４が設けられている。これにより、第２のテンプル部２０のバッテリ２４からの電源を、図１の接続線ＬＣを介して第１のテンプル部１０に供給して、表示装置５０を動作させることが可能になる。そして、表示装置５０は使用者の右目側に設けられているため、表示装置５０により生成された表示画像を、使用者の右目側にシースルーのＨＭＤ方式で表示できる。
【００５９】
一方、図４（Ｂ）では、テンプル部の接続の左右の入れ替えが行われ、フロント部３０の接続部ＣＦ１に対して第２のテンプル部２０が接続され、接続部ＣＦ２に対して第１のテンプル部１０が接続されている。具体的には、フロント部側の接続部ＣＦ１とテンプル部側の接続部ＣＰ２とが接続され、フロント部側の接続部ＣＦ２とテンプル部側の接続部ＣＰ１とが接続されている。従って、図４（Ａ）では使用者の右目側に表示画像を表示していたものを、図４（Ｂ）では使用者の左目側に表示できるようになる。従って、例えば右目側よりも左目側に表示画像が表示されることを望む使用者等の要望に応えることできる。
【００６０】
そして本実施形態では図４（Ａ）、（Ｂ）のようなテンプル部の左右の入れ替え接続を可能にするために、第１、第２のテンプル部１０、２０を、上下方向（鉛直方向）において対称な構造にしている。
【００６１】
具体的には、第１のテンプル部１０は、図４（Ａ）に示すようにフロント部３０の第１の接続部ＣＦ１への接続時には、その第１の側面ＳＡ１が第１の方向ＤＲ１を向き、第２の側面ＳＡ２が第１の方向ＤＲ１と反対方向の第２の方向ＤＲ２を向いた状態で、第１の接続部ＣＦ１に接続される。ここで第１の側面ＳＡ１は、装着時に使用者から見て外側に向く面であり、例えば図２（Ａ）に示す側面が、第１のテンプル部１０の第１の側面ＳＡ１になる。一方、第２の側面ＳＡ２は、第１の側面ＳＡ１の反対側の面であり、装着時に使用者の側頭部側に向く面である。
【００６２】
一方、第１のテンプル部１０は、図４（Ｂ）に示すようにフロント部３０の第２の接続部ＣＦ２への接続時には、第１の側面ＳＡ１が第２の方向ＤＲ２を向き、第２の側面ＳＡ２が第１の方向ＤＲ１を向いた状態で、第２の接続部ＣＦ２に接続される。即ち、図４（Ａ）に示す第１の接続部ＣＦ１への接続状態から、図４（Ｂ）に示す第２の接続部ＣＦ２への接続状態へと入れ替える場合には、第１のテンプル部１０を１８０度回転させて、その側面の向く方向が反対になるようにして、接続することになる。
【００６３】
また第２のテンプル部２０は、図４（Ａ）に示すようにフロント部３０の第２の接続部ＣＦ２への接続時には、その第１の側面ＳＢ１が第２の方向ＤＲ２を向き、第２の側面ＳＢ２が第１の方向ＤＲ１を向いた状態で、第２の接続部ＣＦ２に接続される。ここで第１の側面ＳＢ１は、装着時に使用者から見て外側に向く面であり、例えば図３に示す側面が、第２のテンプル部２０の第１の側面ＳＢ１になる。一方、第２の側面ＳＢ２は、第１の側面ＳＢ１の反対側の面であり、装着時に使用者の側頭部側に向く面である。
【００６４】
一方、第２のテンプル部２０は、図４（Ｂ）に示すようにフロント部３０の第１の接続部ＣＦ１への接続時には、第１の側面ＳＢ１が第１の方向ＤＲ１を向き、第２の側面ＳＢ２が第２の方向ＤＲ２を向いた状態で、第１の接続部ＣＦ１に接続される。即ち、図４（Ａ）に示す第２の接続部ＣＦ２への接続状態から、図４（Ｂ）に示す第１の接続部ＣＦ１への接続状態へと入れ替える場合には、第２のテンプル部２０を１８０度回転させて、その側面の向く方向が反対になるようにして、接続することになる。
【００６５】
また図５（Ａ）、図５（Ｂ）に示すように、フロント部３０の第１の接続部ＣＦ１は、第１、第２の端子ＴＦ１、ＴＦ２を有し、第２の接続部ＣＦ２は第３、第４の端子ＴＦ３、ＴＦ４を有する。また第１のテンプル部１０（接続部ＣＰ１）は、第１のテンプル側端子ＴＰ１と、第２のテンプル側端子ＴＰ２を有し、第２のテンプル部２０（接続部ＣＰ２）は、第３のテンプル側端子ＴＰ３と、第４のテンプル側端子ＴＰ４を有する。なお、ここでは説明を簡単にするために、第１、第２の接続部ＣＦ１、ＣＦ２、第１、第２のテンプル部１０、２０（ＣＰ１、ＣＰ２）の各々が、２つの端子を有する場合について説明するが、本実施形態はこれに限定されず、これらの各々が３つ以上の端子を有してもよい。
【００６６】
そして図５（Ａ）、図５（Ｂ）は、図４（Ａ）のように第１の接続部ＣＦ１に第１のテンプル部１０が接続され、第２の接続部ＣＦ２に第２のテンプル部２０が接続された場合の端子の接続状態を示している。一方、図５（Ｃ）、図５（Ｄ）は、図４（Ｂ）のように第１の接続部ＣＦ１に第２のテンプル部２０が接続され、第２の接続部ＣＦ２に第１のテンプル部１０が接続された場合の端子の接続状態を示している。即ち、図５（Ａ）と図５（Ｃ）とでは、フロント部３０の第１の接続部ＣＦ１に接続されるテンプル部が、第１のテンプル部１０から第２のテンプル部２０に入れ替わっており、図５（Ｂ）と図５（Ｄ）とでは、第２の接続部ＣＦ２に接続されるテンプル部が、第２のテンプル部２０から第１のテンプル部１０に入れ替わっている。
【００６７】
そして、第１のテンプル部１０の第１のテンプル側端子ＴＰ１は、図５（Ａ）に示す第１の接続部ＣＦ１への接続時には、第１の接続部ＣＦ１の第１の端子ＴＦ１に接続される。一方、図５（Ｄ）に示す第２の接続部ＣＦ２への接続時には、第１のテンプル側端子ＴＰ１は、第２の接続部ＣＦ２の第４の端子ＴＦ４に接続される。
【００６８】
また、第１のテンプル部１０の第２のテンプル側端子ＴＰ２は、図５（Ａ）に示す第１の接続部ＣＦ１への接続時には、第１の接続部ＣＦ１の第２の端子ＴＦ２に接続される。一方、図５（Ｄ）に示すように第２の接続部ＣＦ２への接続時には、第２のテンプル側端子ＴＰ２は、第２の接続部ＣＦ２の第３の端子ＴＰ３に接続される。
【００６９】
また第２のテンプル部２０の第３のテンプル側端子ＴＰ３は、図５（Ｂ）に示す第２の接続部ＣＦ２への接続時には、第２の接続部ＣＦ２の第３の端子ＴＦ３に接続される。一方、図５（Ｃ）に示す第１の接続部ＣＦ１への接続時には、第３のテンプル側端子ＴＰ３は、第１の接続部ＣＦ１の第２の端子ＴＦ２に接続される。
【００７０】
また第２のテンプル部２０の第４のテンプル側端子ＴＰ４は、図５（Ｂ）に示す第２の接続部ＣＦ２への接続時には、第２の接続部ＣＦ２の第４の端子ＴＰ４に接続される。一方、図５（Ｃ）に示す第１の接続部ＣＦ１への接続時には、第４のテンプル側端子ＴＰ４は、第１の接続部ＣＦ１の第１の端子ＴＦ１に接続される。
【００７１】
以上のように本実施形態では、第１、第２のテンプル部１０、２０のピン配置等の構造が上下方向（鉛直方向）において対称な構造になっているため、図４（Ａ）、図４（Ｂ）のようなテンプル部の左右の入れ替え接続が可能になる。従って、表示装置、撮像装置等の電装部品を、使用者の好みに応じて左右で入れ代えることが可能になり、多様な用途への対応が可能になる。
【００７２】
なお、本実施形態では後述するように、フロント部３０は、第１、第２の接続部ＣＦ１、ＣＦ２に、同一種別のテンプル部（第１、第２のテンプル部の一方のテンプル部）が接続された場合に、当該同一種別のテンプル部が有する電装部同士間の電気的接続を非接続にするようにしている。
【００７３】
次に、図６（Ａ）〜図６（Ｃ）を用いてテンプル部の入れ替え接続について更に詳細に説明する。
【００７４】
図６（Ａ）に示すように、第１のテンプル部１０には、その第１の電装部として表示装置が設けられ、第２のテンプル部２０には、その第２の電装部としてバッテリが設けられている。そしてフロント部３０には、これらの第１のテンプル部１０の表示装置と第２のテンプル部２０のバッテリを電気的に接続するための第１、第２の接続線ＬＣ１、ＬＣ２が配線されている。なお、バッテリと電装部品を接続する場合には、ＶＤＤの接続線とＧＮＤの接続線が必要になるが、以下では、説明を簡単にするために、ＶＤＤの接続線を例にとり説明を行う。
【００７５】
例えば図６（Ａ）に示すように、フロント部３０に配線される第１の接続線ＬＣ１は、フロント部３０の第１の接続部ＣＦ１に第１のテンプル部１０が接続され、第２の接続部ＣＦ２に第２のテンプル部２０が接続された場合に、第１のテンプル部１０の表示装置（広義には第１の電装部）と第２のテンプル部２０のバッテリ（広義には第２の電装部）を電気的に接続するための接続線である。即ち、前述した図４（Ａ）に示す接続時には、フロント部３０に配線された第１の接続線ＬＣ１により、第１のテンプル部１０の表示装置と第２のテンプル部２０のバッテリとの間の電気的接続が実現される。
【００７６】
一方、図６（Ｂ）に示すように、フロント部３０に配線される第２の接続線ＬＣ２は、フロント部３０の第１の接続部ＣＦ１に第２のテンプル部２０が接続され、第２の接続部ＣＦ２に第１のテンプル部１０が接続された場合に、第１のテンプル部１０の表示装置（第１の電装部）と第２のテンプル部２０のバッテリ（第２の電装部）を電気的に接続するための接続線である。即ち、図４（Ｂ）に示す接続時には、フロント部３０に配線された第２の接続線ＬＣ２により、第１のテンプル部１０の表示装置と第２のテンプル部２０のバッテリとの間の電気的接続が実現される。
【００７７】
更に具体的には、フロント部３０の第１の接続部ＣＦ１は、第１、第２の端子ＴＦ１、ＴＦ２を有し、第１の端子ＴＦ１は第１の接続線ＬＣ１に接続され、第２の端子ＴＦ２は第２の接続線ＬＣ２に接続される。
【００７８】
また、フロント部３０の第２の接続部ＣＦ２は、第３、第４の端子ＴＦ３、ＴＦ４を有し、第３の端子ＴＦ３は第１の接続線ＬＣ１に接続され、第４の端子ＴＦ４は第２の接続線ＬＣ２に接続される。
【００７９】
そして図４（Ａ）に示すように、第１の接続部ＣＦ１に第１のテンプル部１０が接続され、第２の接続部ＣＦ２に第２のテンプル部２０が接続される場合には、図６（Ａ）に示すように、第１のテンプル部１０の表示装置（第１の電装部）と、第２のテンプル部２０のバッテリ（第２の電装部）とは、第１の接続部ＣＦ１の第１の端子ＴＦ１、第１の接続線ＬＣ１、第２の接続部ＣＦ２の第３の端子ＴＦ３を介して電気的に接続される。
【００８０】
即ち、図５（Ａ）、図５（Ｂ）で説明したように、表示装置に接続される第１のテンプル側端子ＴＰ１と第１の端子ＴＦ１が接続され、バッテリに接続される第３のテンプル側端子ＴＰ３と第３の端子ＴＦ３が接続され、第１の端子ＴＦ１と第３の端子ＴＦ３は第１の接続線ＬＣ１により接続される。これにより、第１のテンプル部１０の表示装置（電装部品）と、第２のテンプル部２０のバッテリとが電気的に接続され、第１のテンプル部１０の表示装置（電装部品）に対して、第２のテンプル部２０のバッテリからの電源を供給できるようになる。
【００８１】
一方、図４（Ｂ）に示すように、第１の接続部ＣＦ１に第２のテンプル部２０が接続され、第２の接続部ＣＦ２に第１のテンプル部１０が接続される場合には、第２のテンプル部２０のバッテリ（第２の電装部）と、第１のテンプル部１０の表示装置（第１の電装部）とは、図６（Ｂ）に示すように、第１の接続部ＣＦ１の第２の端子ＴＦ２、第２の接続線ＬＣ２、第２の接続部ＣＦ２の第４の端子ＴＦ４を介して電気的に接続される。
【００８２】
即ち、図５（Ｃ）、図５（Ｄ）で説明したように、バッテリに接続される第３のテンプル側端子ＴＰ３と第２の端子ＴＦ２が接続され、表示装置に接続される第１のテンプル側端子ＴＰ１と第４の端子ＴＦ４が接続され、第２の端子ＴＦ２と第４の端子ＴＦ４は第２の接続線ＬＣ２により接続される。これにより、第１のテンプル部１０の表示装置と、第２のテンプル部２０のバッテリとが接続され、第１のテンプル部１０の表示装置に対して、第２のテンプル部２０のバッテリからの電源を供給できるようになる。
【００８３】
更に本実施形態では、フロント部３０は、第１、第２の接続部ＣＦ１、ＣＦ２に、バッテリを有する同一種別のテンプル部が接続された場合には、これらのバッテリ間の電気的接続を非接続にして、電源のショートを防止している。
【００８４】
例えば図６（Ｃ）では、バッテリを有する同一種別の第２のテンプル部２０−１、２０−２が、各々、フロント部３０の第１、第２の接続部ＣＦ１、ＣＦ２に接続されている。この場合には、バッテリ間は非接続になり、電源のショートが防止される。
【００８５】
例えば、第２のテンプル部２０−１の第３のテンプル側端子ＴＰ３は、フロント部３０の第２の端子ＴＦ２に接続され、第２の端子ＴＦ２は第２の接続線ＬＣ２に接続される。一方、第２のテンプル部２０−２の第３のテンプル側端子ＴＰ３は、フロント部３０の第３の端子ＴＦ３に接続され、第３の端子ＴＦ３は第１の接続線ＬＣ１に接続される。そして、図６（Ｃ）に示すように、第１の接続線ＬＣ１と第２の接続線ＬＣ２は、電気的に分離された別々の接続線である。従って、第２のテンプル部２０−１のバッテリと第２のテンプル部２０−２のバッテリとは電気的に非接続になり、バッテリ同士の電源のショートを防止できるようになる。
【００８６】
以上のように図６（Ａ）〜図６（Ｃ）に示す手法によれば、バッテリと表示装置というように、異なる種別のテンプル部を左右に接続する場合には、左右の入れ替え接続を行ったとしても、正しい接続を実現できる。一方、例えばバッテリを有する同一種別のテンプル部を左右に接続した場合には、接続に使用される接続線ＬＣ１、ＬＣ２が電気的に分離されているため、バッテリ同士が接続されて電源のショートが生じる事態を、効果的に防止できるようになる。
【００８７】
３．テンプル部
本実施形態では、テンプル部はフロント部に対して着脱自在になっており、用途に応じた様々なテンプル部を接続できるという特徴がある。以下、テンプル部の種々の例について説明する。
【００８８】
図７（Ａ）、図７（Ｂ）にテンプル部の詳細例を示す。このテンプル部１０は、モダン部１２にバッテリ１６が内蔵されている。そしてテンプル部１０は、バッテリ１６が設けられるモダン部１２を着脱可能に接続する接続部ＣＰ３を有する。例えば接続部ＣＰ３を介してテンプル部１０にモダン部１２が接続されている場合には、モダン部１２が内蔵するバッテリ１６からの電源が、接続線ＬＢ１〜ＬＢ４を介して回路基板１４に供給され、これにより回路基板１４の電装部品等を動作させることが可能になる。そして、このバッテリ１６を内蔵するモダン部１２は着脱自在になっており、モダン部１２をテンプル部１０から取り外すことで、モダン部１２のバッテリ１６を、充電装置等を用いて充電できるようになる。
【００８９】
このようにすれば、使用者は、バッテリを内蔵する複数のモダン部を予備として所持しておき、バッテリの充電切れの場合にも、バッテリを内蔵する予備のモダン部に交換することで、テンプル部の電装部品を直ぐに動作させて使用できるようになる。この場合に、テンプル部の本体の交換は不要であり、交換するのは小型なモダン部だけで済むため、使用者の利便性を向上できる。
【００９０】
また図７（Ａ）では、テンプル部１０に表示装置５０が取り付けられている。図８（Ａ）に示すように、この表示装置５０は、表示部５２と、接眼光学系５４と、支持部５８を有する。
【００９１】
表示部５２（表示素子）は、ＬＣＤやＯＬＥＤ等により実現されるものであり、各種の画像を表示する。表示部５２は、図２（Ｂ）の回路基板１４に実装される駆動装置と接続線ＬＤにより電気的に接続されて、表示駆動される。接眼光学系５４は、表示部５２の画像を使用者に虚像として観察可能にする光学系であり、導光部５５や接眼窓５６などの光学部品により構成される。表示部５２からの表示画像光は、接眼光学系５４の導光部５５により接眼窓５６に導光される。支持部５８は、接眼光学系５４の接眼窓５６をフロント部３０の前方に支持（配置）する部材である。即ち、接眼窓５６を使用者の右目又は左目の前方に支持して配置する。この支持部５８は屈曲自在となっており、使用者は支持部５８を屈曲させることで、接眼窓５６の位置を調整できる。
【００９２】
図８（Ａ）の構成の表示装置５０を用いることで、図８（Ｂ）に示すように、シースルー型のＨＭＤによる画像表示が可能になる。即ち、使用者の視界の一部に、表示装置５０で生成された画像ＩＭを重畳して表示できるようになる。図８（Ｂ）では、使用者に対して道案内を行うナビゲーション用の画像ＩＭが、使用者の視界の一部に重畳表示されている。なお本実施形態に用いられる表示装置５０は図８（Ａ）の構成には限定されず、種々の変形実施が可能である。
【００９３】
本実施形態では、様々な用途に応じたテンプル部を眼鏡型ウェアラブル装置のフロント部に着脱自在に接続できるようになっている。例えば図９（Ａ）、図９（Ｂ）では、回路基板１４と、回路基板１４等に電源を供給するバッテリ１６が内蔵されたテンプル部１０が、フロント部３０の接続部ＣＦ１に接続されている。そして、例えば回路基板１４に、図８（Ａ）の表示装置５０の表示部５２（表示パネル）を駆動する駆動装置等を設けることで、図８（Ｂ）に示すような画像を使用者の右目に映し出すことが可能になる。
【００９４】
一方、図９（Ｃ）では、図９（Ａ）、図９（Ｂ）のような回路基板１４、バッテリ１６などの電装系を内蔵しない通常の眼鏡テンプル部２１０がフロント部３０の接続部ＣＦ１に接続されている。例えば使用者が図８（Ｂ）のような画像表示を望まない状況である場合には、図９（Ｃ）のような通常の眼鏡テンプル部２１０をフロント部３０に接続することで、使用者の要望に応えることができる。
【００９５】
図１０（Ａ）では、テンプル部１０にモダン部１２との接続部ＣＰ３が設けられ、バッテリ１６を有するモダン部１２は、テンプル部１０から着脱自在になっている。同様に図１０（Ｂ）でも、テンプル部２０にモダン部２２との接続部ＣＰ４が設けられ、バッテリ２６を有するモダン部２２は、テンプル部２０から着脱自在になっている。また図１０（Ｂ）では、テンプル部２０に回路基板２５が設けられ、この回路基板２５により、例えばセンサ、ＴＶチューナー等のオプション機能を実現できるようになっている。例えば、右側のテンプル部１０に表示装置５０を設け、左側のテンプル部２０にＴＶチューナを設けることで、使用者は、ＴＶチューナにより得られたＴＶ映像を、表示装置５０を用いて視聴することが可能になる。
【００９６】
更に図１０（Ｂ）では、回路基板２５を有するテンプル部２０を、このような回路基板２５を有しないテンプル部２２０に交換可能になっている。例えば上述のようなオプション機能を望まない使用者は、テンプル部２０に代えてテンプル部２２０を接続して眼鏡型ウェアラブル装置を使用する。この場合に、テンプル部２２０には、バッテリ２６を有するモダン部２２の接続が可能になっており、バッテリ２６からの電源をフロント部３０を介して、他方のテンプル部１０に供給できるようになっている。
【００９７】
そして、図１０（Ａ）、図１０（Ｂ）のようにテンプル部１０、２０の本体からモダン部１２、２２が着脱自在な構成である場合には、図１１（Ａ）、図１１（Ｂ）に示すように、テンプル部１０、２０の本体の接続を入れ替えることで、左右の入れ替え接続が可能になる。この場合には、モダン部１２、２２については左右の入れ替えを行わなくて済むため、使用者の耳の形状にフィットしたモダン部１２、２２をそのまま使用することが可能になる。即ち、左右の耳にフィットしたモダン部１２、２２については入れ替えずに、テンプル部１０、１２の本体だけを左右で入れ替え接続することが可能になる。
【００９８】
図１２は、フロント部３０の左右の両方に、表示装置５０を有するテンプル部１０、２０を接続した例である。このような接続にすることで、図８（Ｂ）に示すような画像を、使用者の左右の両方の目に映し出すことが可能になる。この場合に、例えば左目に映し出す画像のコンテンツと右目に映し出す画像のコンテンツを変えることで、様々な用途に対応できるようになる。
【００９９】
図１３は、フロント部３０の右側に、表示装置５０を有するテンプル部１０を接続し、フロント部３０の左側に、撮像装置６０を有するテンプル部２０を接続した例である。図１３によれば、表示装置５０と撮像装置６０を連動させたコンテンツの提供が可能になる。例えば撮像装置６０により撮像された画像に対して画像認識処理を行い、この画像認識処理の結果に基づく画像を表示装置５０により表示することが可能になる。例えば、撮像装置６０により、外国文字が書かれた看板等を撮影して、外国文字の画像認識処理を行い、画像認識処理により得られた翻訳結果を、表示装置５０により表示するなどの用途が可能になる。
【０１００】
図１４は、テンプル部１０のモダン部１２を、イヤホン付きのモダン部１２−２に交換する例である。このようにすることで、表示装置５０による画像のコンテンツのみならず、イヤホン付きのモダン部１２−２によるサウンドのコンテンツについても使用者に提供することが可能になる。
【０１０１】
なお、フロント部やテンプル部の接続部としては、種々の構造のものを用いることができ、例えば図１５（Ａ）、図１５（Ｂ）に示す構造の接続部を採用してもよい。
【０１０２】
図１５（Ａ）では、フロント部３０の接続部ＣＦ１は、ピンジャック１３０と、ピンジャック１３０に設けられた電極１３２、１３４（端子）により構成される。一方、テンプル部１０の接続部ＣＰ１は、ピンジャック１３０の受け部１１０と、受け部１１０に設けられた電極１１２、１１４（端子）により構成される。そして、図１５（Ｂ）に示すようにフロント部３０とテンプル部１０を接続する際には、ピンジャック１３０を受け部１１０に差し込んで接続することになる。この際に、ピンジャック１３０の電極１３２、１３４と受け部１１０の電極１１２、１１４が接触することで、フロント部３０とテンプル部１０との間の電気的接続が可能になる。即ち、電極１３２、１３４と電極１１２、１１４の接続により、テンプル部１０の電装部とフロント部３０の接続線ＬＣとが電気的に接続され、左右のテンプル部の電装部間の電気的接続が可能になる。
【０１０３】
また図１６（Ａ）〜図１７（Ｂ）は、接続部の端子をカバーするカバー部を設けた例である。
【０１０４】
例えば図１６（Ａ）の第１のカバー部４１は、フロント部３０への第１のテンプル部１０の非接続時に、フロント部３０の第１の接続部ＣＦ１の端子（ＴＦ１、ＴＦ２）をカバーするものである。また図１６（Ｂ）の第２のカバー部４２は、フロント部３０への第２のテンプル部２０の非接続時に、フロント部３０の第２の接続部ＣＦ２の端子（ＴＦ３、ＴＦ４）をカバーするものである。
【０１０５】
一方、図１７（Ａ）、図１７（Ｂ）では、テンプル部側にカバー部が設けられている。具体的には、図１７（Ａ）の第１のカバー部４３は、テンプル部１０の第１の接続部ＣＰ１の端子（ＴＰ１、ＴＰ２）をカバーし、図１７（Ｂ）の第２のカバー部４４は、テンプル部２０の第２の接続部ＣＰ２の端子（ＴＰ３、ＴＰ４）をカバーする。
【０１０６】
即ち、本実施形態ではフロント部に対してテンプル部が着脱自在になっているため、フロント部にテンプル部を接続しない非接続時には、フロント部やテンプル部の端子がむき出しになってしまう。このため、電気的な不具合や防水性能の劣化等の問題が生じるおそれがある。
【０１０７】
この点、図１６（Ａ）〜図１７（Ｂ）では、フロント部やテンプル部の端子をカバーするカバー部が設けられているため、フロント部へのテンプル部の非接続時に、端子がむき出しになって電気的な不具合を引き起こしたり、防水性が劣化するなどの問題を効果的に解決できる。従って、テンプル部の交換による機能の変更・拡張と、電気的な不具合の発生の抑制や防水性の向上とを、両立して実現することが可能になる。
【０１０８】
なお図１６（Ａ）〜図１７（Ｂ）に示すように、カバー部４１〜４４にスライド機構を持たせ、フロント部３０へのテンプル部１０、２０の接続時においては、フロント部３０側やテンプル部１０、２０側に、カーバ部４１〜４４をスライドして収納できるようにしてもよい。このようにすれば、フロント部３０へのテンプル部１０、２０の接続時に、カバー部４１〜４４が接続の妨げになるような事態を防止できる。なお、カバー部４１〜４４を、フロント部３０へのテンプル部１０、２０の接続時における防水部材として兼用するようにしてもよい。
【０１０９】
４．テンプル部の種別検出
図１８は、本実施形態の眼鏡型ウェアラブル装置の電気的な構成を示すブロック図であり、眼鏡型ウェアラブル装置の電装部の構成を示す機能ブロック図である。
【０１１０】
図１８において、処理部３００は、装置の各種の制御処理や演算処理を行う。この処理部３００の機能は、例えばマイコンなどのプロセッサやＡＳＩＣなどにより実現される。
【０１１１】
検出部３１０は種々の検出処理を行う。記憶部３２０は、処理部３００等の作業領域となったり、画像データの記憶領域となるメモリである。無線通信部３３０は、外部との無線通信処理を行う。駆動部３４０は、表示装置５０の駆動を行うものであり、表示装置５０の表示部がＬＣＤである場合には、駆動部３４０は液晶ドライバーにより実現される。Ｉ／Ｆ部３６０は、撮像装置６０とのインターフェースを行うものであり、撮像装置６０の制御処理や撮像画像の取り込み処理などを行う。撮像装置６０としてはＣＣＤやＣＭＯＳセンサ等のイメージセンサを用いることができる。バッテリ３８０は、眼鏡型ウェアラブル装置の各部に電源を供給するものであり、２次電池や１次電池等により実現される。
【０１１２】
そして本実施形態では、検出部３１０が、フロント部に接続されるテンプル部の種別検出を行う。例えば検出部３１０は、フロント部の左右に、いずれの種別のテンプル部が接続されたかを検出する。そして処理部３００は、検出部３１０での検出結果に基づく処理を行う。即ち、テンプル部の種別の検出結果に応じた種々の処理（画像処理、制御処理、判断処理等）を行う。
【０１１３】
例えば本実施形態の眼鏡型ウェアラブル装置は、使用者に画像を表示する表示装置５０及び画像を撮像する撮像装置６０の少なくとも一方を有する。例えばテンプル部に対して表示装置５０や撮像装置６０が設けられる。そして処理部３００は、表示装置５０により表示される画像又は撮像装置６０により撮像された画像に対して、検出部３１０での検出結果に基づく画像処理を行う。
【０１１４】
例えば図１９（Ａ）、図１９（Ｂ）では、上述の画像処理として、画像の左右反転処理が行われている。即ち図１９（Ａ）では、フロント部３０の右側に、表示装置５０を有するテンプル部１０が接続されており、図１９（Ｂ）では、フロント部３０の左側に、表示装置５０を有するテンプル部１０が接続されている。そして図１９（Ａ）から図１９（Ｂ）に接続を入れ替える場合には、前述したようにテンプル部１０を１８０度回転させて接続することになる。従って、図１９（Ａ）、図１９（Ｂ）において表示装置５０が同じ画像を表示してしまうと、表示に矛盾が生じる。
【０１１５】
そこで本実施形態では、図１９（Ａ）から図１９（Ｂ）に接続が入れ替えられた場合には、表示装置５０に表示される画像の左右反転処理を行う。即ち、検出部３１０が、図１９（Ａ）、図１９（Ｂ）のような接続の入れ替えが行われたことを検出し、処理部３００が、この検出結果に基づいて、表示画像の左右判定処理の画像処理を行う。こうすることで、図１９（Ａ）、図１９（Ｂ）のような接続の入れ替えが行われた場合にも、矛盾の無い画像を使用者に対して表示できるようになる。
【０１１６】
以上の処理は、例えば、撮像装置を有するテンプル部の接続の入れ替えが行われた場合も同様である。この場合には、撮像装置の撮像画像に対して画像の左右反転処理を行えばよい。
【０１１７】
なお、テンプル部の種別結果に基づく処理としては種々の処理が考えられる。例えばテンプル部１０に、処理部３００（マイコン）が設けられ、テンプル部２０に、ＴＶチューナ、センサ等の各種のオプション装置が設けられる場合を想定する。この場合には、処理部３００は、フロント部３０に接続されたテンプル部２０の種別の検出結果に基づいて、その種別に対応づけられた各種の処理を行う。例えば処理部３００は、ＴＶチューナが設けられたテンプル部２０が接続されたと判断すると、ＴＶチューナで得られた映像を表示装置５０に表示するための処理を行う。また、処理部３００は、種々のセンサ（例えばＧＰＳセンサ、加速度センサ等）が設けられたテンプル部２０が接続されたと判断すると、そのセンサ用の処理として対応づけられた処理を行う。具体的には、ＧＰＳセンサを内蔵するテンプル部２０が接続されたと判断すると、そのＧＰＳセンサを用いた位置測定処理等を行う。また加速度センサを内蔵するテンプル部２０が接続されたと判断すると、その加速度センサを用いた各種のアプリケーション処理（例えば歩数判定処理、加速度センサを用いた操作情報の取得処理等）を行う。
【０１１８】
即ち、本実施形態では、様々なオプション装置を有するテンプル部の接続を可能にして、機能の変更・拡張が可能な眼鏡型ウェアラブル装置を実現している。そして処理部３００は、テンプル部の種別を検出することで、当該テンプル部により変更・拡張された機能を認識し、それに応じた処理を行う。このようにすれば、テンプル部の交換による眼鏡型ウェアラブル装置の機能の変更・拡張を、効率的に実現することが可能になる。
【０１１９】
なお、テンプル部の種別の検出手法としては種々の手法が考えられる。例えば図２０（Ａ）では、フロント部３０の右側に、表示装置を有するテンプル部１０が接続され、フロント部３０の左側に、バッテリを有するテンプル部２０が接続されている。この場合には、図６（Ａ）で説明したように、バッテリからの電源ＶＤＤは、フロント部３０の接続線ＬＣ１を介して表示装置に供給されることになる。
【０１２０】
一方、図２０（Ｂ）では、フロント部３０の左側に、表示装置を有するテンプル部１０が接続され、フロント部３０の右側に、バッテリを有するテンプル部２０が接続されている。この場合には、図６（Ｂ）で説明したように、バッテリからの電源ＶＤＤは、フロント部３０の接続線ＬＣ２を介して表示装置に供給されることになる。
【０１２１】
そして図２０（Ａ）、図２０（Ｂ）では、検出部３１０が、接続線ＬＣ１、ＬＣ２の電圧検出を行い、処理部３００が、電圧検出結果に基づいて、フロント部３０に接続されたテンプル部１０、２０の種別を検出する。
【０１２２】
例えば図２０（Ａ）では、接続線ＬＣ１の電圧がＶＤＤであると検出されるため、処理部３００は、フロント部３０の右側に、表示装置を有するテンプル部１０が接続され、フロント部３０の左側に、バッテリを有するテンプル部２０が接続されていると判断できる。従って、処理部３００は、図１９（Ａ）に示すような画像が表示装置に表示されるように制御を行う。
【０１２３】
一方、図２０（Ｂ）では、接続線ＬＣ２の電圧がＶＤＤであると検出されるため、処理部３００は、フロント部３０の左側に、表示装置を有するテンプル部１０が接続され、フロント部３０の右側に、バッテリを有するテンプル部２０が接続されていると判断できる。従って、処理部３００は、図１９（Ｂ）に示すような画像が表示装置に表示されるように制御を行う。具体的には、表示装置の表示画像の左右反転処理を行う。これにより、接続されたテンプル部の種別に応じた処理を実現できる。
【０１２４】
また図２０（Ｃ）では、各テンプル部１０、２０に、マイコン等で実現される処理部３００−１、３００−２が設けられる。そして処理部３００−１、３００−２が、例えばフロント部３０に設けられた通信線ＬＣＭ（或いは無線通信）を用いて通信処理を行うことで、テンプル部の種別判定処理を行う。例えばテンプル部１０に設けられた処理部３００−１は、自身の種別情報を、通信線ＬＣＭを介して、処理部３００−２に通知する。また、テンプル部２０に設けられた処理部３００−２は、自身の種別情報を、通信線ＬＣＭを介して、処理部３００−１に通知する。そして例えば図２０（Ｄ）に示すように、テンプル部の種別情報である各テンプルＩＤに対して、各処理部３００−１、３００−２が実行すべき各処理が対応づけられており、各処理部３００−１、３００−２は、各テンプルＩＤに対応づけられた各処理を実行する。こうすることで、各処理部３００−１、３００−２は、テンプル部の種別に応じた適切な処理を実行することが可能になる。
【０１２５】
例えば、通信されたテンプルＩＤに基づいて、テンプル部１０が、表示装置を有するテンプル部であり、テンプル部２０が、撮像装置を有するテンプル部であると判断されたとする。すると、処理部３００−１、３００−２は、テンプル部２０の撮像装置で撮像された画像を、テンプル部１０の表示装置に表示させる処理等を実行する。一方、通信されたテンプルＩＤに基づいて、テンプル部１０が、撮像装置を有するテンプル部であり、テンプル部２０が、表示装置を有するテンプル部であると判断されたとする。すると、処理部３００−１、３００−２は、テンプル部１０の撮像装置で撮像された画像を、テンプル部２０の表示装置に表示させる処理等を実行する。このようにすれば、フロント部に接続された各テンプル部の種別に応じた適切な処理を実行できるようになる。
【０１２６】
以上のように本実施形態について詳細に説明したが、本発明の新規事項及び効果から実体的に逸脱しない多くの変形が可能であることは当業者には容易に理解できるであろう。従って、このような変形例はすべて本発明の範囲に含まれるものとする。例えば明細書又は図面において、少なくとも一度、より広義または同義な異なる用語と共に記載された用語は、明細書又は図面のいかなる箇所においても、その異なる用語に置き換えることができる。また眼鏡型ウェアラブル装置、テンプル部、フロント部の構成・処理等も本実施形態で説明したものに限定されず、種々の変形実施が可能である。
【符号の説明】
【０１２７】
１０  第１のテンプル部、１２  モダン部、１４  回路基板、１６  バッテリ、
２０  第２のテンプル部、２２  モダン部、２４  バッテリ、３０  フロント部、
５０  表示装置、５２  表示部、５４  接眼光学系、５５  導光部、５６  接眼窓、
５８  支持部、６０  撮像装置、２１０、通常の眼鏡テンプル部、
２２０  テンプル部、３００  処理部、３１０  検出部、３２０  記憶部、
３３０  無線通信部、３４０  駆動部、３６０  Ｉ／Ｆ部、３８０  バッテリ、
ＣＦ１、ＣＦ２  第１、第２の接続部、ＣＰ１、ＣＰ２  第１、第２の接続部、
ＬＣ  接続線、ＬＣ１、ＬＣ２  第１、第２の接続線、
ＴＦ１〜ＴＦ４  第１〜第４の端子、ＴＰ１〜ＴＰ４  第１〜第４のテンプル側端子
【図１】
0006005994.tif 000002
【図２】
0006005994.tif 000003
【図３】
0006005994.tif 000004
【図４】
0006005994.tif 000005
【図５】
0006005994.tif 000006
【図６】
0006005994.tif 000007
【図７】
0006005994.tif 000008
【図９】
0006005994.tif 000009
【図１０】
0006005994.tif 000010
【図１１】
0006005994.tif 000011
【図１２】
0006005994.tif 000012
【図１３】
0006005994.tif 000013
【図１４】
0006005994.tif 000014
【図１５】
0006005994.tif 000015
【図１６】
0006005994.tif 000016
【図１７】
0006005994.tif 000017
【図１８】
0006005994.tif 000018
【図１９】
0006005994.tif 000019
【図２０】
0006005994.tif 000020
【図８】
0006005994.tif 000021